(57)【特許請求の範囲】
【請求項１】
光コネクタがバレルの前端側に収容保持され、光ケーブルから前記光コネクタに至る光ファイバの余長部が前記バレル内に収容されている光コネクタ内蔵プラグであって、
相手方のレセプタクルとの接続時における前記バレルの後端方向への前記光コネクタの移動に伴い、前記余長部は撓むものとされ、
前記光コネクタの移動方向と直交する一方向に位置して前記バレル内に前記余長部の撓みを収容する撓み収容部と跳ね上げ部とが設けられ、
前記撓み収容部の内部底面は前記撓み収容部に収容された前記余長部の撓みと接しない位置に設けられ、
前記跳ね上げ部は前記バレルの前後方向に延びる断面Ｖ字状の溝を備え、前記溝は前記撓み収容部と正対されており、
前記レセプタクルとの非接続時には前記余長部は前記溝の内面と接することなく前記溝内に位置し、
前記レセプタクルとの接続時に前記撓み収容部に向かう方向以外に前記余長部が撓んだ場合、前記余長部の撓みは前記溝の内面によって跳ね上げられて前記撓み収容部に収容されることを特徴とする光コネクタ内蔵プラグ。
【請求項２】
光コネクタがバレルの前端側に収容保持され、光ケーブルから前記光コネクタに至る光ファイバの余長部が前記バレル内に収容されている光コネクタ内蔵プラグであって、
相手方のレセプタクルとの接続時における前記バレルの後端方向への前記光コネクタの移動に伴い、前記余長部は撓むものとされ、
前記光コネクタの移動方向と直交する一方向に位置して前記バレル内に前記余長部の撓みを収容する撓み収容部と跳ね上げ部とが設けられ、
前記撓み収容部の内部底面は前記撓み収容部に収容された前記余長部の撓みと接しない位置に設けられ、
前記跳ね上げ部は前記バレルの前後方向に延びる断面Ｖ字状の溝を備え、前記溝は前記撓み収容部と正対されており、  
前記レセプタクルとの非接続時には前記余長部は前記溝の内面と接することなく前記溝内に位置し、
前記溝の内面は、２つの傾斜した側面と、前記バレルの前後方向に平坦な底面とよりなり、
前記２つの側面の下端間の間隔は前記余長部の光ファイバの直径より大とされ、
前記底面は、前記レセプタクルとの接続時に前記撓み収容部に向かう方向以外に前記余長部が撓んだ場合、前記余長部の撓みが押し付けられる位置に設けられていることを特徴とする光コネクタ内蔵プラグ。
【請求項３】
請求項２記載の光コネクタ内蔵プラグにおいて、
前記底面は前記余長部の光ファイバの半径より大きい曲率半径を有する曲面とされていることを特徴とする光コネクタ内蔵プラグ。
【請求項４】
請求項１乃至３記載のいずれかの光コネクタ内蔵プラグにおいて、
前記バレルは外形を構成する筒部の強度を補強する補強構造を内部に有していることを特徴とする光コネクタ内蔵プラグ。
【請求項５】
請求項１乃至４記載のいずれかの光コネクタ内蔵プラグにおいて、
前記跳ね上げ部は前記バレルとは別体の跳ね上げ部材によって構成されていることを特徴とする光コネクタ内蔵プラグ。
【発明の詳細な説明】
【技術分野】
【０００１】
この発明は光コネクタを内蔵した光コネクタ内蔵プラグに関する。
【背景技術】
【０００２】
図７はこの種の光コネクタ内蔵プラグの従来例として特許文献１に記載されている構成を示したものであり、図７では光コネクタ内蔵プラグ（特許文献１ではハウジングと称している）が接続される相手方のアダプタも併せて示している。
【０００３】
光コネクタ内蔵プラグ１０は筒部１１、外筒部１２、連結体１３、ケーブル１４を有している。筒部１１は先端部に嵌合部１１ａを有しており、嵌合部１１ａ内には光コネクタ１５を軸方向に移動可能に支持するための支持部１１ｂが設けられている。支持部１１ｂには貫通孔１１ｃが形成されており、光コネクタ１５に取り付けられた取付部材１６は貫通孔１１ｃに挿入されている。
【０００４】
筒部１１の、支持部１１ｂよりも基端側には仕切り壁１７が固定されており、仕切り壁１７には光ファイバ１４ａを逃がすための貫通孔１７ａが設けられている。仕切り壁１７と取付部材１６のフランジ部１６ａとの間にはコイル状のバネ１８が配置されており、バネ１８の付勢力により取付部材１６及び光コネクタ１５は軸方向先端側に付勢されている。
【０００５】
アダプタ２０は筐体２１から部分的に外部に突出した光モジュール２２の部分を覆うように筐体２１に固定されている。アダプタ２０は光コネクタ内蔵プラグ１０の筒部１１と嵌合する嵌合部２０ａを有している。光モジュール２２の先端部はアダプタ２０に形成されている貫通孔２０ｂから突出されている。
【０００６】
光モジュール２２は光コネクタ内蔵プラグ１０の光コネクタ１５が挿入される挿入穴２２ａを有しており、挿入穴２２ａ内には光コネクタ１５のフェルール１５ａと接続されるフェルール２２ｂが設けられている。
【０００７】
光コネクタ内蔵プラグ１０はアダプタ２０に嵌合されて接続され、この際、アダプタ２０の嵌合部２０ａは光コネクタ内蔵プラグ１０の外筒部１２と筒部１１との間に挿入される。光コネクタ１５はバネ１８の付勢力に抗して軸方向基端側に移動し、このバネ１８の付勢力（弾性復帰力）により光コネクタ１５は光モジュール２２に向かって押され、これによりフェルール１５ａと２２ｂとの良好な接続状態が確保できるものとなっている。
【先行技術文献】
【特許文献】
【０００８】
【特許文献１】特開２０１２−６８３２３号公報
【発明の概要】
【発明が解決しようとする課題】
【０００９】
上述したように、光コネクタ内蔵プラグに内蔵されている光コネクタは、光コネクタ内蔵プラグが相手方のレセプタクル（特許文献１ではアダプタと称している）と接続される際、バネの弾性力に抗して後方（接続方向と反対方向）に移動し、バネの弾性復帰力によって良好な接続状態を得るものとなっている。そのため、光コネクタの移動に伴い、光ファイバを撓ませるための光ファイバの余長部を光ケーブルと光コネクタとの間に設ける必要があり、図７に示した従来の光コネクタ内蔵プラグにおいてもそのような余長部が設けられている。
【００１０】
光ファイバの光学特性を維持するためには、余長部の撓みはゆるやかで曲率半径が極力大きいことが望ましい。例えば、撓みによって光ファイバの余長部が余長部を収容している部材に突き当たってしまうと、局所的に曲率半径が小さくなってしまうような撓み状態が生じ、それにより光ファイバの光学特性が劣化するといった状況が生じうる。
【００１１】
従って、光ファイバの余長部がどの方向に撓んでも余長部を収容している部材に突き当たらないようにするためには、余長部の収容空間を大きく確保する必要があり、図７に示した従来の光コネクタ内蔵プラグにおいても余長部を収容している円筒状の筒部１１の基端側の内部は単なる空洞とされて大きな収容空間が確保されている。
【００１２】
ところで、この種の光コネクタ内蔵プラグは特許文献１にも記載されているように、例えば携帯電話の基地局などで使用され、このような屋外での使用において不測の外力を受けても破損することがないように、さらには相手方のレセプタクルとの接続、離脱作業等の取扱い時において強い力で把持されても破損することがないように、十分な強度を確保しておく必要があり、特に光コネクタ内蔵プラグの外殻をなすバレル（特許文献１の筒部が該当）には十分な強度が要求される。
【００１３】
しかるに、光ファイバの余長部の撓みを阻害することがないように大きな収容空間を確保すべく、バレルの内部を単なる空洞とすることと、十分なバレルの強度を確保することとは、基本的に相容れず、図７に示した従来の光コネクタ内蔵プラグの構造のように、光ファイバの余長部がどの方向に撓んでも支障がないように、バレルの内部を単なる空洞とすることは強度の面から言えば好ましいものとは言えなかった。
【００１４】
この発明の目的はこのような状況に鑑み、バレルの内部を単なる空洞とはしなくとも、光学特性を損うことなく光ファイバの余長部が良好に撓むことができるような空間を確保できるようにした光コネクタ内蔵プラグを提供することにある。
【課題を解決するための手段】
【００１５】
請求項１の発明によれば、光コネクタがバレルの前端側に収容保持され、光ケーブルから光コネクタに至る光ファイバの余長部がバレル内に収容されている光コネクタ内蔵プラグにおいて、相手方のレセプタクルとの接続時におけるバレルの後端方向への光コネクタの移動に伴い、余長部は撓むものとされ、光コネクタの移動方向と直交する一方向に位置してバレル内に余長部の撓みを収容する撓み収容部と跳ね上げ部とが設けられ、撓み収容部の内部底面は撓み収容部に収容された余長部の撓みと接しない位置に設けられ、跳ね上げ部はバレルの前後方向に延びる断面Ｖ字状の溝を備え、前記溝は撓み収容部と正対されており、レセプタクルとの非接続時には余長部は前記溝の内面と接することなく前記溝内に位置し、レセプタクルとの接続時に撓み収容部に向かう方向以外に余長部が撓んだ場合、余長部の撓みは前記溝の内面によって跳ね上げられて撓み収容部に収容されるものとされる。
【００１６】
請求項２の発明によれば、光コネクタがバレルの前端側に収容保持され、光ケーブルから光コネクタに至る光ファイバの余長部がバレル内に収容されている光コネクタ内蔵プラグにおいて、相手方のレセプタクルとの接続時におけるバレルの後端方向への光コネクタの移動に伴い、余長部は撓むものとされ、光コネクタの移動方向と直交する一方向に位置してバレル内に余長部の撓みを収容する撓み収容部と跳ね上げ部とが設けられ、撓み収容部の内部底面は撓み収容部に収容された余長部の撓みと接しない位置に設けられ、跳ね上げ部はバレルの前後方向に延びる断面Ｖ字状の溝を備え、前記溝は撓み収容部と正対されており、レセプタクルとの非接続時には余長部は前記溝の内面と接することなく前記溝内に位置し、前記溝の内面は、２つの傾斜した側面と、バレルの前後方向に平坦な底面とよりなり、前記２つの側面の下端間の間隔は余長部の光ファイバの直径より大とされ、前記底面は、レセプタクルとの接続時に撓み収容部に向かう方向以外に余長部が撓んだ場合、余長部の撓みが押し付けられる位置に設けられているものとされる。
【００１７】
請求項３の発明では請求項２の発明において、前記底面は余長部の光ファイバの半径より大きい曲率半径を有する曲面とされる。
【００１９】
請求項４の発明では請求項１乃至３のいずれかの発明において、バレルは外形を構成する筒部の強度を補強する補強構造を内部に有しているものとされる。
【００２０】
請求項５の発明では請求項１乃至４のいずれかの発明において、跳ね上げ部はバレルとは別体の跳ね上げ部材によって構成される。
【発明の効果】
【００２１】
この発明によれば、相手方のレセプタクルとの接続時における光コネクタの移動（後退）に伴い、撓み収容部に向かう方向以外に光ファイバの余長部が撓んだ場合、余長部は跳ね上げ部の溝の内面に押し付けられ、光コネクタの後退と共に撓んでゆく光ファイバの弾力により余長部の撓みは跳ね上げられて撓み収容部に収容されるものとなっている。よって、相手方のレセプタクルとの接続時には光ファイバの余長部の撓みは常に良好に撓み収容部に収容されるものとなっている。
【００２２】
また、このように光ファイバの余長部の撓みを跳ね上げる跳ね上げ部及び余長部の撓みを収容する撓み収容部は、バレル内において光コネクタの移動方向と直交する一方向に位置するように設けられているため、バレルの内部を単なる空洞とはしなくとも、光学特性を損うことなく光ファイバの余長部が良好に撓むことができるような空間を確保できる。本発明の光コネクタ内蔵プラグならば、残余の空間をバレルの強度補強に利用することもできるようになる。
【図面の簡単な説明】
【００２３】
【図１】Ａはこの発明による光コネクタ内蔵プラグの一実施例を示す斜視図、Ｂはその断面斜視図。
【図２】Ａは図１におけるバレルの正面図、Ｂはその右側面図、Ｃはその背面図、ＤはＢのＦ−Ｆ線断面図、ＥはＢのＧ−Ｇ線断面図。
【図３】Ａは図１におけるバレルの斜視図、Ｂはその断面斜視図。
【図４】Ａは図１における跳ね上げ部材の斜視図、Ｂは跳ね上げ部材の他の形状例を示す斜視図。
【図５】Ａは図１に示した光コネクタ内蔵プラグの断面図、Ｂは図１に示した光コネクタ内蔵プラグの、レセプタクルと接続された時の状態を示す断面図。
【図６】Ａは図５ＡのＣ−Ｃ線拡大断面図、Ｂは図５ＢのＤ−Ｄ線拡大断面図。
【図７】光コネクタ内蔵プラグの従来例を相手方のアダプタと共に示した断面図。
【発明を実施するための形態】
【００２４】
この発明の実施形態を図面を参照して実施例により説明する。
【００２５】
図１Ａはこの発明による光コネクタ内蔵プラグの一実施例の外観を示したものであり、図１Ｂはその断面構造を示したものである。光コネクタ内蔵プラグはこの例では光コネクタ３０とインナーハウジング４０とバレル５０とカップリング６０とスライダ７０と跳ね上げ部材８０とコイルバネ９０，１００とＯリング１１０とグランドナット１２０とブッシング１３０とクランプ１４０とテンションメンバ止め１５０とによって構成されている。図１中、２００は光ケーブルを示し、２１０は光ケーブル２００から取り出されて光コネクタ３０に至る光ファイバの余長部を示す。
【００２６】
光コネクタ３０はこの例ではＬＣコネクタとされ、光ファイバの余長部２１０の端末に取り付けられた光コネクタ３０はインナーハウジング４０に固定保持されている。光コネクタ３０を保持したインナーハウジング４０はバレル５０に後述するように抜け止めされて取り付けられている。バレル５０の前端側に収容された光コネクタ３０はバレル５０内に配置されたコイルバネ９０により、インナーハウジング４０を介してバレル５０の前端から突出する方向に押されている。
【００２７】
バレル５０は図２及び図３に示したように、全体として筒状をなし、基部５１と、基部５１より外形が一回り小さくされて基部５１の前方に続く中間部５２と、中間部５２から前方に突出形成された挿入部５３と、基部５１の後方に続く後端部５４とを有する。後端部５４の外周面には図示を省略しているが、ねじが形成されている。
【００２８】
挿入部５３にはバレル５０の前後方向（軸心方向）に延びる４つの切欠き５３ａがあり、挿入部５３の前端側はこれら４つの切欠き５３ａによって分断されて４つの挿入片５３ｂが形成されている。光コネクタ内蔵プラグを相手方のレセプタクルに接続する際には、これら挿入片５３ｂはレセプタクルに挿入されて位置決めされる。
【００２９】
挿入部５３の基端側の外周面には環状の溝５３ｃが形成されており、この溝５３ｃにＯリング１１０が取り付けられる。基部５１の前端には方形の角が丸められた形状をなしてフランジ状に突出する突出部５５が設けられている。なお、基部５１は略円形の外形を有するものとされている。
【００３０】
中間部５２の内面には図２及び図３に示したようにインナーハウジング４０の組み込み用の溝５２ａが周方向に９０°間隔で配列されて４つ形成されており、さらにこれら溝５２ａと周方向に４５°ずらされて凹部５２ｂが４つ形成されている。インナーハウジング４０は基端側の外周面に十字状をなすように突出形成された４つの凸部４１を有しており、これら凸部４１を溝５２ａに合致させることによりバレル５０の前端側からインナーハウジング４０をバレル５０内に組み込むことができ、組み込んだ後、インナーハウジング４０を周方向に回転させて凸部４１を凹部５２ｂに位置させることにより、凸部４１が凹部５２ｂの前方の段部５２ｃによって抜け止めされてバレル５０にインナーハウジング４０が収容保持される。なお、凹部５２ｂは段部５２ｃに向かって徐々に浅くなるように、即ちバレル５０内において互いに対向する凹部５２ｂの底面間の間隔が段部５２ｃに向かって徐々に挟まるように形成されており、さらに段部５２ｃに向かって徐々に幅が挟まるように形成されている。
【００３１】
一方、基部５１は図２Ｅに示したような断面形状を有するものとされ、外形を構成する筒部５１ａの軸心位置には支持部５１ｂがバレル５０の前後方向に延伸されて形成され、さらに支持部５１ｂと筒部５１ａとの間には支持部５１ｂと筒部５１ａとを連結する連結壁５１ｃが形成されている。
【００３２】
支持部５１ｂはその前端が中間部５２のほぼ中央にまで入り込んで形成されており、支持部５１ｂの前端は円筒形状とされ、前端以外の他の部分は円筒の周の一部が切り欠かれて断面Ｃ字形状をなすものとされている。支持部５１ｂの内周面の互いに対向する位置には一対の溝５１ｄが支持部５１ｂの全長に渡って形成されている。
【００３３】
連結壁５１ｃは図２Ｅに示したように放射状に９０°間隔で４つ設けられ、支持部５１ｂの全長に渡って設けられている。４つの連結壁５１ｃのうち２つは断面Ｃ字形状をなす支持部５１ｂのＣ字の両端に位置するように設けられている。
【００３４】
上記のような構成を有するバレル５０の支持部５１ｂには跳ね上げ部材８０が取り付けられる。
【００３５】
跳ね上げ部材８０は図４Ａに示したように棒状をなし、断面Ｖ字状の溝８１が全長に渡り、一定の深さで形成されているものとされる。跳ね上げ部材８０の一端側にはフランジ部８２が設けられており、フランジ部８２の外側には凸部８３が設けられている。断面Ｖ字状をなす溝８１はこれらフランジ部８２及び凸部８３に渡って設けられている。跳ね上げ部材８０は溝８１によって円筒面の一部が切り欠かれた外周面形状を有し、外周面の互いに１８０°をなす位置には一対の突条８４がフランジ部８２及び凸部８３を除き、全長に渡って形成されている。
【００３６】
跳ね上げ部材８０はバレル５０の前端側からバレル５０内に挿入されて支持部５１ｂに取り付けられる。跳ね上げ部材８０の一対の突条８４は支持部５１ｂの一対の溝５１ｄに挿入、位置され、これにより跳ね上げ部材８０は支持部５１ｂに位置決め支持される。跳ね上げ部材８０のフランジ部８２は円筒形状をなす支持部５１ｂの前端に突き当てられる。なお、光コネクタ３０をバレル５０の前端から突出する方向に押すコイルバネ９０は一端が跳ね上げ部材８０の凸部８３の周りに嵌め込まれ、跳ね上げ部材８０とインナーハウジング４０とによって挟み込まれた状態となっている。
【００３７】
光ケーブル２００の端部にはテンションメンバ止め１５０が取り付けられ、光ケーブル２００の端部から取り出されて光コネクタ３０に至る光ファイバの余長部２１０は跳ね上げ部材８０の溝８１内を通り、コイルバネ９０の内部、インナーハウジング４０に設けられている穴４２を通って光コネクタ３０に至っている。
【００３８】
バレル５０の後端部５４にはゴム製のブッシング１３０及びクランプ１４０が順次挿入された後、グランドナット１２０がねじ込まれて取り付けられている。グランドナット１２０をねじ込むことにより、光ケーブル２００はクランプ１４０によって挟み込まれて固定される。ブッシング１３０は圧縮されてバレル５０及び光ケーブル２００に密着し、これによりバレル５０の後端側が密閉されるものとなっている。
【００３９】
スライダ７０はバレル５０の挿入部５３の基端側を囲むように取り付けられ、さらにバレル５０の中間部５２及びスライダ７０の回りにカップリング６０が取り付けられている。なお、バレル５０のフランジ状をなす突出部５５とスライダ７０との間のカップリング６０によって囲まれた空間にはコイルバネ１００が収容されている。
【００４０】
上記のような構成とされた光コネクタ内蔵プラグが相手方のレセプタクルに接続される際には、光コネクタ３０はバレル５０の後端方向へ押し込まれて移動し、光コネクタ３０の移動に伴い、光ファイバの余長部２１０には撓みが生じる。
【００４１】
図５Ｂは相手方のレセプタクルと接続された時の光コネクタ内蔵プラグの状態を示したものであり、図６Ｂは図５ＢのＤ−Ｄ線の断面を拡大して示したものである。なお、図５Ａ及び図６Ａは接続前の光コネクタ内蔵プラグの状態を図５Ｂ及び図６Ｂに示した図と対応させて示したものである。
【００４２】
図６Ａに示したように相手方のレセプタクルとの非接続時には光ファイバの余長部２１０は跳ね上げ部材８０の溝８１内に位置している。断面Ｖ字状をなす溝８１の内面は２つの傾斜した側面８１ａ，８１ｂと底面８１ｃとよりなり、２つの側面８１ａ，８１ｂの下端間の間隔ｄは余長部２１０の直径より大とされ、２つの側面８１ａ，８１ｂの下端間に位置する底面８１ｃはこの例では余長部２１０の半径より大きい曲率半径を有する曲面とされている。この例では溝８１内に位置する光ファイバの余長部２１０はこれら側面８１ａ，８１ｂ及び底面８１ｃと接していない状態となっている。
【００４３】
バレル５０の支持部５１ｂは前述したようにＣ字形状の断面を有しており、跳ね上げ部材８０は溝８１が支持部５１ｂのＣ字の開口部分に向くように支持部５１ｂに取り付けられている。ここで、光コネクタ３０の移動方向（後退方向）と直交し、かつ互いに直交する二方向をＸ方向、Ｙ方向とし、図６Ａにおける紙面上方向を＋Ｘ方向、紙面右方向を＋Ｙ方向とする。
【００４４】
光コネクタ３０の後退に伴い、光ファイバの余長部２１０が例えば＋Ｘ方向に撓んだとすると、余長部２１０の撓みは図５Ｂ及び図６Ｂに示したような状態となる。バレル５０内には跳ね上げ部材８０の溝８１の内部空間と連通して、筒部５１ａの内面５１ｅ、隣接する２つの連結壁５１ｃ及び支持部５１の周方向両端面５１ｆ、５１ｇによって囲まれた空間があり、この空間に余長部２１０の撓みが収容される。図６Ｂ中、二点鎖線で囲んだ領域は余長部２１０の撓みを収容する撓み収容部５６をなす。撓み収容部５６の内部底面、即ち筒部５１ａの内面５１ｅは余長部２１０の撓みと接しない位置に位置している。
【００４５】
一方、光ファイバの余長部２１０が＋Ｘ方向以外に、つまり撓み収容部５６に向かう方向以外に撓んだ場合、余長部２１０は跳ね上げ部材８０の溝８１の内面に押し付けられる。そして、光コネクタ３０の後退と共に撓んでゆく光ファイバの弾力により、余長部２１０の撓みは溝８１の内面によって＋Ｘ方向に跳ね上げられ、つまり溝８１と正対する撓み収容部５６の方向に跳ね上げられる。この跳ね上げにより余長部２１０の撓みは＋Ｘ方向に撓んだ場合と同様、撓み収容部５６に収容される。
【００４６】
このように跳ね上げ部材８０の溝８１の内面によって余長部２１０の撓みが＋Ｘ方向に跳ね上げられるのは、溝８１を傾斜した側面８１ａ，８１ｂを有する断面Ｖ字状としたことによるものであって、例えば溝８１を垂直な側面を有する断面Ｕ字状とした場合にはこのような跳ね上げ効果が得られないことをシミュレーションで確認している。
【００４７】
なお、前述したように、溝８１の２つの側面８１ａ，８１ｂの下端間の間隔ｄを余長部２１０の直径より大きくし、曲面よりなる底面８１ｃの曲率半径を余長部２１０の半径より大きくしているため、例えば余長部２１０が−Ｘ方向に撓んだ場合に、余長部２１０の撓みが溝８１に挟み込まれてしまうといったことは発生しない。
【００４８】
以上説明したように、この例によれば余長部２１０の撓みは常に撓み収容部５６に収容されて図５Ｂに示したようにゆるやかな撓み状態となり、光学特性の低下は発生しない。
【００４９】
また、光ファイバの余長部２１０の撓みを収容する撓み収容部５６及び撓み収容部５６に向かうように余長部２１０の撓みを跳ね上げる跳ね上げ部材８０は、図６Ｂに示したようにバレル５０内の一方向（Ｘ方向）に位置し、かつ跳ね上げ部材８０は余長部２１０に近接した位置に存在するだけなので、これら撓み収容部５６及び跳ね上げ部材８０がバレル５０内において占有する空間は限られている。よって、残余の空間にこの例のように筒部５１ａの強度を補強する連結壁５１ｃを放射状に設けることができ、つまり残余の空間をバレル５０の強度補強に使用することができる。
【００５０】
図４Ｂは跳ね上げ部材の他の形状例を示したものである。この例では跳ね上げ部材８０’の断面Ｖ字状の溝８１’の底面８１ｄは曲面ではなく、平面によって構成されている。溝８１’の２つの傾斜した側面８１ａ，８１ｂの下端間の間隔は跳ね上げ部材８０と同様、光ファイバの余長部２１０の直径より大とされている。跳ね上げ部材としてこの図４Ｂに示したような跳ね上げ部材８０’を用いても、図４Ａに示した跳ね上げ部材８０と同様の跳ね上げ効果を得ることができる。
【００５１】
なお、上述した例では光ファイバの余長部２１０の撓みを撓み収容部５６に向かうように跳ね上げるための跳ね上げ部をバレル５０に一体形成するのではなく、バレル５０と別体の跳ね上げ部材８０（８０’）を用いるものとなっている。これは光コネクタ内蔵プラグの組立において、太い光ケーブル２００をバレル５０に通してバレル５０の前端から取り出し、光コネクタ３０等を取り付けた後、光ケーブル２００をバレル５０の後端方向へ引き戻すといった作業を行うためで、断面Ｖ字状の溝を有する跳ね上げ部をバレル５０に一体形成すると、太い光ケーブル２００をバレル５０に通すことが困難となるためである。このような点から例えば光ケーブル２００が細く、通すことができるような場合には跳ね上げ部をバレル５０に一体形成することも可能である。
【符号の説明】
【００５２】
１０    光コネクタ内蔵プラグ                １１    筒部
１１ａ    嵌合部                            １１ｂ    支持部
１１ｃ    貫通孔                            １２    外筒部
１３    連結体                              １４    ケーブル
１４ａ    光ファイバ                        １５    光コネクタ
１５ａ    フェルール                        １６    取付部材
１６ａ    フランジ部                        １７    仕切り壁
１７ａ    貫通孔                            １８    バネ
２０    アダプタ                            ２０ａ    嵌合部
２０ｂ    貫通孔                            ２１    筐体
２２    光モジュール                        ２２ａ    挿入穴
２２ｂ    フェルール                        ３０    光コネクタ
４０    インナーハウジング                  ４１    凸部
４２    穴                                  ５０    バレル
５１    基部                                ５１ａ    筒部
５１ｂ    支持部                            ５１ｃ    連結壁
５１ｄ    溝                                ５１ｅ    内面
５１ｆ，５１ｇ    端面                      ５２    中間部
５２ａ    溝                                ５２ｂ    凹部
５２ｃ    段部                              ５３    挿入部
５３ａ    切欠き                            ５３ｂ    挿入片
５３ｃ    溝                                ５４    後端部
５５    突出部                              ５６    撓み収容部
６０    カップリング                        ７０    スライダ
８０，８０’    跳ね上げ部材                ８１，８１’    溝
８１ａ，８１ｂ    側面                      ８１ｃ，８１ｄ    底面
８２    フランジ部                          ８３    凸部
８４    突条                                ９０，１００    コイルバネ
１１０    Ｏリング                          １２０    グランドナット
１３０    ブッシング                        １４０    クランプ
１５０    テンションメンバ止め              ２００  光ケーブル
２１０    余長部
【図１】
0006706091.tif 000002
【図２】
0006706091.tif 000003
【図３】
0006706091.tif 000004
【図４】
0006706091.tif 000005
【図５】
0006706091.tif 000006
【図６】
0006706091.tif 000007
【図７】
0006706091.tif 000008